(57)【要約】【課題】撮影中の動画を損ねることなく、円滑な静止画撮影を可能とする。【解決手段】デジタルカメラでは、動画／静止画撮影モードで、シャッタスイッチを押下することにより動画撮影を開始し、シャッタスイッチを再度押下することにより動画撮影を終了する（ステップ１００〜１１０）。また、動画撮影中にシャッタスイッチを所定時間以上押下することにより、静止画撮影を行う（ステップ１２０〜１２６）。このとき、動画撮影が一時中断されて、静止画撮影時間に応じた補完画像を生成し、静止画撮影が終了することにより、動画撮影を再開する（ステップ１０８、１１２、１１４）。【選択図】        図３
2004207805.tif 000002
【特許請求の範囲】
【請求項１】
撮像デバイスに結像された被写体像に応じたデジタル画像データを生成して、記憶手段に保存するデジタルスチルカメラであって、
静止画像の撮影を指示する静止画撮影指示手段と、
前記静止画撮影指示手段によって静止画撮影が指示されることにより、前記撮像デバイスに結像された被写体像に基づいて静止画像を生成する静止画撮影処理手段と、
動画像の撮影及び撮影終了を指示する動画撮影指示手段と、
前記動画撮影指示手段の操作に基づいて前記撮像デバイスに結像された被写体像から動画像を生成する動画撮影処理手段と、
動画像を撮影中に前記静止画撮影指示手段によって静止画撮影が指示されたときに、前記動画処理手段の作動を一時停止して前記静止画撮影処理手段による静止画撮影を行い、静止画撮影終了後に、動画撮影処理手段に静止画撮影前の動画撮影を再開する切換え手段と、
を含むことを特徴とするデジタルスチルカメラ。
【請求項２】
前記静止画撮影処理手段によって静止画像が撮影されているときに、静止画撮影前と静止画撮影後の動画像の間に挿入する補完画像を生成する補完画像生成手段を、含むことを特徴とする請求項１に記載のデジタルスチルカメラ。
【請求項３】
静止画撮影モードと動画撮影モードに加えて動画／静止画撮影モードが設けられ、動画／静止画撮影モードが選択されているときに、前記切換え手段によって動画撮影中の静止画撮影が可能となることを特徴とする請求項１又は請求項２に記載のデジタルスチルカメラ。
【請求項４】
前記動画撮影指示手段及び前記静止画撮影指示手段が、シャッタスイッチであることを特徴とする請求項１から請求項３の何れかに記載のデジタルスチルカメラ。
【発明の詳細な説明】
【０００１】
【発明の属する技術分野】
本発明は、ＣＣＤ（Charge Coupled Device）イメージセンサ等の撮像デバイスを用いて画像撮影を行うデジタルスチルカメラに関する。
【０００２】
【従来の技術】
近年、急速に増加しているデジタルスチルカメラ（以下「デジタルカメラ」とする）では、撮像デバイスとしてＣＣＤ等が用いられている。このＣＣＤは、多数の光電変換素子が二次元配列されて形成されており、デジタルカメラでは、ＣＣＤに結像される被写体像に応じて個々の光電変換素子が蓄積した電荷量に応じた電気信号を、Ａ／Ｄ変換することによりデジタル画像データを生成する。
【０００３】
また、デジタルカメラでは、このデジタル画像データをスマートメディア等の可搬型の記録媒体に記録するなどしたり、各種のインターフェイスを介して取出すことができるようにしている。
【０００４】
一方、静止画撮影に加えて、動画撮影の可能なデジタルカメラが提案されている。デジタルカメラの動画撮影モードでは、記憶容量や処理能力に応じた画質（画素数）及びフレームレート（例えば１０フレーム／秒）で画像を連続的に撮影し、連続的に撮影した画像を連続再生可能となるように記憶する。
【０００５】
ところで、デジタルカメラでは、動画撮影と静止画撮影が別々のモードとなっており、例えばモード選択スイッチを用いて、動画撮影を行うか静止画撮影を行うかによってこのモード選択スイッチを切換えるようにしている。また、シャッタボタンの押下時間によって動画撮影を行うか静止画撮影を行うかを切換えて、画像撮影を行うよう提案がなされている（例えば、特許文献１参照。）。
【０００６】
このようなデジタルカメラでは、動画撮影中の１シーンを静止画として保存したいと思った時には、動画撮影を終了して、静止画撮影を行う必要があり、このために、静止画として撮影したいシーンのシャッタチャンスを逃してしまうことがある。
【０００７】
一方、動画撮影を行うためのデジタルビデオカメラでは、動画撮影中に静止画撮影を可能とするものがある。このようなデジタルビデオカメラでは、動画撮影中に静止画撮影のボタンを操作すると、動画として撮影している該当するシーンを、動画とは別の記憶媒体に静止画としてコピーするようにしている。
【０００８】
ここから、デジタルカメラにおいても、動画として撮影したシーンの中から、静止画として保存したいシーンを取り出すことが考えられる。
【０００９】
しかしながら、動画撮影を行うときには、短時間に多数枚のシーンの画像を読み込む必要があり、このために、動画像として撮影したシーンを静止画像としてとり込んだ場合、デジタルカメラで予め静止画として撮影しようとしたときに比べて画質が低下してしまうことになる。
【００１０】
また、シャッタボタンの押下時間によって静止画撮影と動画撮影を切換えるようにした場合においても動画撮影中に静止画撮影を行うためには、動画撮影を一旦終了させなければならない。
【００１１】
【特許文献１】
特開平９−３２２０４３号公報
【００１２】
【発明が解決しようとする課題】
本発明は上記事実に鑑みてなされたものであり、動画撮影中であっても、所望のタイミングで高品質の静止画の撮影が可能なデジタルスチルカメラを提案することを目的とする。
【００１３】
【課題を解決するための手段】
上記目的を達成するために本発明は、撮像デバイスに結像された被写体像に応じたデジタル画像データを生成して、記憶手段に保存するデジタルスチルカメラであって、静止画像の撮影を指示する静止画撮影指示手段と、前記静止画撮影指示手段によって静止画撮影が指示されることにより、前記撮像デバイスに結像された被写体像に基づいて静止画像を生成する静止画撮影処理手段と、動画像の撮影及び撮影終了を指示する動画撮影指示手段と、前記動画撮影指示手段の操作に基づいて前記撮像デバイスに結像された被写体像から動画像を生成する動画撮影処理手段と、動画像を撮影中に前記静止画撮影指示手段によって静止画撮影が指示されたときに、前記動画処理手段の作動を一時停止して前記静止画撮影処理手段による静止画撮影を行い、静止画撮影終了後に、動画撮影処理手段に静止画撮影前の動画撮影を再開する切換え手段と、を含むことを特徴とする。
【００１４】
この発明によれば、動画撮影指示手段によって動画撮影の開始が指示されることにより動画撮影処理手段が動作撮影を行い、また、動画撮影指示手段によって動画撮影の終了が指示されることにより動画撮影を終了する。また、撮影した動画像データは、記憶手段に保存される。
【００１５】
切換え手段は、動画撮影中に静止画撮影指示手段によって静止画撮影が指示されることにより、静止画撮影処理手段による静止画撮影が行われるようにする。また、切換え手段は、静止画撮影を行っているときに、動画撮影を一時停止させ、静止画撮影が終了することにより、引き続き動画撮影処理手段による動画撮影が行われるようにする。
【００１６】
これにより、動画撮影中であっても、任意のタイミングで静止画撮影を行うことができる。また、静止画撮影を行ったときにも、動画撮影を終了することがないので、静止画撮影前に撮影した動画と、静止画撮影後に撮影した動画を、一つの動画データとして記憶手段に保存することができる。
【００１７】
また、請求項２の発明は、前記静止画撮影処理手段によって静止画像が撮影されているときに、静止画撮影前と静止画撮影後の動画像の間に挿入する補完画像を生成する補完画像生成手段を、含むことを特徴とする。
【００１８】
この発明によれば、静止画撮影によって動画撮影が中断している間の動画を、補完画像生成手段によって生成して、静止画撮影前の動画像と、静止画撮影後の動画像の間に挿入する。
【００１９】
このときに、例えば、静止画撮影により中断された時間に相当する長さ（時間）の補完画像などの、的確な補完画像を挿入することにより、静止画撮影前の動画像と静止画撮影後の動画像を円滑に接続して、静止画撮影により中断されて撮影された動画像に違和感を生じさせることがない。
【００２０】
このような補完画像としては、静止画撮影前の最後のフレーム、静止画撮影後の最初のフレーム、静止画等に基づいて生成することができる。また、静止した画像に、例えばシャッター動作などを摸擬した画像などの各種の効果画像を合成するものであっても良く、これにより、撮影された動画を損ねることなく、動画撮影中に静止画撮影が行われたことを明確にすることができる。
【００２１】
このような本発明では、静止画撮影モードと動画撮影モードに加えて動画／静止画撮影モードが設けられ、動画／静止画撮影モードが選択されているときに、前記切換え手段によって動画撮影中の静止画撮影が可能となるものであることが好ましく、これにより、動画撮影中に無闇に静止画撮影が行われてしまうのを防止することができる。
【００２２】
また、本発明では、前記動画撮影指示手段及び前記静止画撮影指示手段が、シャッタスイッチを用いることができ、好ましい。
【００２３】
【発明の実施の形態】
以下、図面を参照して本発明の実施の形態を説明する。図１には、本実施の形態に適用したデジタルスチルカメラ（以下「デジタルカメラ１０」とする）の概略構成を示している。
【００２４】
デジタルカメラ１０は、撮像デバイスとしてＣＣＤ（Charge Coupled Device）１２が設けられており、このＣＣＤ１２に被写体像を結像させるレンズ等を含んで形成されている光学ユニット１４、信号処理部１６及び主制御部１８を備え、ＣＣＤ１２に結像される被写体像に応じてＣＣＤ１２から出力される電気信号から、被写体像のデジタル画像データを生成する。なお、撮像デバイスとしては、ＣＭＯＳ（Complementary Metal Oxide Semiconductor）イメージセンサ等を用いることもできる。
【００２５】
信号処理部１６には、ＣＣＤ１２を駆動する垂直・水平ドライバ２０及び光学ユニット１４に含まれるシャッタ及び絞りを駆動するシャッタ・アイリスモータドライバ２２が接続している。
【００２６】
信号処理部１６は、相関二重サンプリング回路（ＣＤＳ）２４、ゲインコントローラ（ＧＣ）２６、Ａ／Ｄコンバータ２８及び、タイミングジェネレータ（ＴＧ）３０を備えており、また、主制御部１８には、各種の画像処理等と共に主制御部１８の動作を制御するＣＰＵ３２及び所定容量のラインバッファを内臓した撮像信号処理部３４が設けられている。
【００２７】
ＣＣＤ１２は、相関二重サンプリング回路２４、ゲインコントローラ２６及びＡ／Ｄコンバータ２８を介して撮像信号処理部３４に接続している。
【００２８】
これにより、ＣＣＤ１２から出力される電気信号は、相関二重サンプリング回路２４で相関二重サンプリング処理が施されることによりノイズ除去が図られ、ゲインコントローラ２６によってＣＣＤ１２におけるＲ、Ｇ、Ｂの各色の感度調整が施された後、各画素毎のＲ、Ｇ、Ｂの各色の信号として、Ａ／Ｄコンバータ２８に入力される。
【００２９】
Ａ／Ｄコンバータ２８は、ゲインコントローラ２６から順に入力されるＲ、Ｇ、Ｂの各色の信号を１２ビットのデジタル信号に変換して、デジタル画像データとして撮像信号処理部３４へ出力する。
【００３０】
一方、主制御部１８には、信号処理部１６と共に、光学ユニット１４に含まれる焦点調整モータを駆動するフォーカスモータドライバ３６及び、光学ユニット１４に含まれるズームモータを駆動するズームモータドライバ３８が接続していおり、主制御部１８は、ＣＣＤ１２を用いた被写体像の撮像と共に、デジタルカメラ１０の全体の動作を制御する。なお、信号処理部１６及び主制御部１８は、１チップＬＳＩ（Large Scale Integrated circuit）を用いて、デジタルカメラ１０の小型化および低コスト化が図られている。
【００３１】
信号処理部１６のタイミングジェネレータ３０には、ＣＣＤ１２の垂直・水平ドライバ２０、シャッタ・アイリスモータドライバ２２及び撮像信号処理部３４が接続しており、ＣＣＤ１２を駆動するタイミング信号を垂直・水平ドライバ２０に出力すると共に、光学ユニット１４に設けている図示しないシャッタ及び絞りを駆動するタイミング信号をシャッタ・アイリスモータドライバ２２に出力し、デジタル画像データの読み込みを行うタイミング信号を撮像信号処理部３４へ出力する。
【００３２】
また、主制御部１８には、フォーカスモータドライバ３６を介して光学ユニット１４に設けている焦点調整モータが接続し、ズームモータドライバ３８を介して光学ユニット１４に設けているズームモータに接続している。
【００３３】
光学ユニット１４は、複数枚のレンズによって焦点距離の変更が可能なズームレンズが形成され、レンズ駆動機構のズームモータ及び焦点調整モータが主制御部１８（主にＣＰＵ３２）から入力される駆動信号によって駆動されることにより、倍率（光学ズーム倍率）変更及び焦点調整がなされる。
【００３４】
一方、主制御部１８には、前記したＣＰＵ３２及び撮像信号処理部３４と共に、ＪＰＥＧ等の所定の圧縮形式でデジタル画像データに対して圧縮処理を施すと共に圧縮処理されたデジタル画像データに対して伸張処理を施す圧縮・伸張部４０と、メディア制御部４２と、ＬＣＤ制御部４４と、ビデオエンコーダ４６と、外部接続部４８と、が設けられており、これらがバス（ＢＵＳ）５０を介して相互に接続されている。
【００３５】
また、デジタルカメラ１０には、主としてＣＣＤ１２による撮影によって得られる被写体像のデジタル画像データを記憶するＳＤＲＡＭ（Synchronous Dynamic RAM）５２及び、各種のパラーメータやプログラムを記憶しているフラッシュＲＯＭ５４を備えており、これらが、主制御部１８のメモリー制御部５５に接続している。これにより、ＣＰＵ３２は、任意のタイミングでＳＤＲＡＭ５２及びフラッシュＲＯＭ５４にアクセス可能となっている。
【００３６】
また、図２（Ａ）に示すように、デジタルカメラ１０には、デジタルカメラ１０の電源スイッチ（図示省略）と共に、シャッタスイッチ７０、メニュースイッチ（ＭＥＮＵ／ＯＫ）７２、上下左右の矢印（三角マーク）キーによって形成される選択キー７４等の各種のスイッチ（図２（Ａ）では一部を図示）を備えている。
【００３７】
図１に示すように、主制御部１８には、これらのスイッチによって形成される操作スイッチ部５６が、図示しないインターフェイスを介して、バス５０に接続している。これにより、ＣＰＵ３２は、各種スイッチの操作状態の把握が可能となっている。
【００３８】
主制御部１８は、信号処理部１６のＴＧ３０からタイミング信号を出力することにより、ＣＣＤ１２に結像される被写体像に応じた電気信号を読み込む。なお、ＣＣＤ１２には、シャッタゲートを介してシャッタドレインが設けられた一般的構成となっており、シャッタゲートをシャッタパルスによって駆動することにより、ＣＣＤ１２に結像された被写体像に応じて各光電変換素子に蓄積された電荷に応じた電気信号を出力する。すなわち、ＣＣＤ１２は、シャッタゲートパルスによって各光電変換素子に蓄積される電荷の蓄積時間（シャッタスピード）が制御される所謂電子シャッタ機能を備えている。
【００３９】
ＣＣＤ１２から被写体像に応じて出力される電気信号は、信号処理部１６で、ノイズ除去、Ｒ、Ｇ、Ｂの各色の感度調整が施された後、デジタル画像データに変換されて、このデジタル画像データが、主制御部１８の撮像信号処理部３４に入力される。
【００４０】
主制御部１８では、撮像信号処理部３４において、入力されたデジタル画像データに基づいて、ＡＦ制御、ＡＥ制御及びＡＷＢ調整が行われる。すなわち、主制御部１８では、ＣＣＤ１２による撮像によって得られる画像のコントラストが最大となるように焦点調整モータを駆動することにより焦点調整のための合焦制御を行う。
【００４１】
ＡＥ制御には、１フレームのＲ、Ｇ、Ｂ信号を積算した積算値に基づいて被写体輝度（撮影ＥＶ）を求め、この撮影ＥＶに基づいて露光制御値として、絞り値と、シャッタスピードを決定し、シャッタ・アイリスモータドライバ２２を介して光学ユニット１４内のシャッタ・アイリスモータを駆動する。
【００４２】
また、ＡＷＢ調整は、被写体輝度（撮影ＥＶ）と、Ｒ／Ｇ、Ｂ／Ｇといったいろ情報を用いて光源種を判別し、光源の色温度にかかわらず白い被写体が白くいろ再現されるようにホワイトバランスを調整するためのデジタルゲインを設定する。
【００４３】
これにより、デジタルカメラでは、被写体をフォーカスフレーム内に配置することにより、ピント合わせが自動的になされると共に、最適露出及びＡＷＢ調整が行われる。
【００４４】
デジタルカメラ１０では、静止画を撮影するときに、シャッタスイッチ７０を半押しすることにより、上記動作を複数回繰返し、ピント調整を行うと共に、絞り値及びシャッタスピード、デジタルゲインを決定する。この状態（シャッタスイッチ７０の半押し状態）から、シャッタスイッチ７０をさらに押下して全押し状態とすることにより、先に決定した絞り値に基づいて、シャッタ・アイリスモータを駆動し、さらに、シャッタスピードの決定値に基づいて、シャッタ・アイリスモータを駆動し、被写体像に応じたデジタル画像データを得る。
【００４５】
一方、撮像信号処理部３４は、信号処理部１６から入力されるデジタル画像データを、ＳＤＲＡＭ５２に格納する。
【００４６】
ＣＰＵ３２は、ＳＤＲＡＭ５２に格納されたデジタル画像データを読み出して、このデジタル画像データに対して所定の画像処理を施す。このときに、ＣＰＵ３２は、光源種に応じたデジタルゲインをかけることによりホワイトバランス調整（ＡＷＢ調整）を施すと共に、ガンマ処理及びシャープネス処理を施して、８ビットのデジタル画像データを生成し、さらに、ＹＣ信号処理を施すことにより輝度信号Ｙとクロマ信号Ｃｒ、Ｃｂを生成し（以下「ＹＣ信号」とする）、このＹＣ信号を、図示しないＶＲＡＭ（Video ＲＡＭ）に格納する。
【００４７】
一方、デジタルカメラ１０は、ＣＣＤ１２に結像されている被写体像、ＣＣＤ１２による撮影によって得られる被写体像や各種の情報等表示するＬＣＤ６０を備えており、このＬＣＤ６０が、ＬＣＤ制御部４４に接続している。ＬＣＤ制御部４４は、ＬＣＤ６０へのデジタル画像データに応じた画像や各種の情報の表示を制御する。
【００４８】
さらに、デジタルカメラ１０は、ＣＣＤ１２に結像される被写体像を表示するエレクトリック・ビューファインダ（以下「ＥＶＦ６２」とする）と、各種の情報や被写体像、各種の情報をＬＣＤ６０とＥＶＦ６２との何れに表示するかを切換える切換えスイッチ６４を備えている。
【００４９】
ビデオエンコーダ４６には、Ｄ／Ａコンバータ６６を介してＥＶＦ６２が接続しており、ビデオエンコーダ４６は、Ｄ／Ａコンバータ６６を介して画像データを例えばＮＴＳＣ方式のカラー複合映像信号に変換して出力する。これにより、ＥＶＦ６２に各種の情報等を表示可能となっている。
【００５０】
また、デジタルカメラ１０では、Ｄ／Ａコンバータ６６からのカラー複合映像信号を外部のモニタに出力可能となっており、これにより、外部モニタに画像を表示することができるようになっている。
【００５１】
なお、ＬＣＤ６０又はＥＶＦ６２をファインダとして使用するときには、ＣＰＵ３２で画像処理を行うことにより生成されるＹＣ信号を、表示先として設定されているＬＣＤ制御部４４又はビデオエンコーダ４６へ出力することにより、ＬＣＤ６０又はＥＶＦ６２に表示されるようにしている。
【００５２】
主制御部１８に設けられているメディア制御部４２には、スマートメディア、ＩＣカード、ＣＤ−Ｒ、ＣＤ−ＲＷなどの可搬型の記憶メディア５８が接続（装着）されるようになっており、メディア制御部４２は、記憶メディア５８に対するデジタル画像データ等の各種情報の書込みや、記憶メディア５８に書き込まれている各種情報の読出しを制御する。
【００５３】
また、主制御部１８では、シャッタスイッチ７０（図２（Ａ）参照）の操作に応じて、ＳＤＲＡＭ５２に格納しているＹＣ信号のデジタル画像データを、圧縮・伸張部４０へ出力して、所定形式の圧縮処理を施した後に、メディア制御部４２へ出力する。これにより、圧縮処理されたデジタル画像データが、記憶メディア５８に書き込まれる。
【００５４】
一方、外部接続部４８には、ＵＳＢコネクタ６８が接続しており、このＵＳＢコネクタ６８を介して、例えばパーソナルコンピュータ間でデジタル画像データ等の入出力を行う。なお、デジタル画像データの入出力は、ＵＳＢコネクタ６８に限らず、従来公知の任意のインターフェイス用コネクタを用いることができる。
【００５５】
ところで、本実施の形態に適用したデジタルカメラ１０では、静止画撮影に加えて、動画撮影が可能となっている。
【００５６】
図２（Ａ）に示すように、デジタルカメラ１０には、モード切換えスイッチ８０が設けられている。図２（Ｂ）に示すように、このモード切換えスイッチ８０は、例えばデジタルカメラ１０の電源スイッチ８２と一体に設けられており、外周部を回動操作することにより、記憶メディア５８等に記録している撮影画像を再生する再生モードと、静止画像を撮影する静止画撮影モードに加えて、動画像を撮影する動画撮影モードと、動画及び静止画の撮影が可能な動画／静止画撮影モードの選択が可能となっている。なお、図２（Ｂ）では、再生モードを選択している状態を示している。
【００５７】
デジタルカメラ１０では、動画の撮影可能なモード（動画撮影モード又は動画／静止画撮影モード）に設定されていると、１秒間に所定枚（例えば１０フレーム／秒〜１５フレーム／秒）で、連続撮影を行う。これにより、撮影したデジタル画像データの各シーンを連続して再生することにより動画像となるようにしている。
【００５８】
図１に示すように、デジタルカメラ１０では、主制御部１８の撮像信号処理部３４には、静止画処理部７６に加えて動画処理部７８が設けられている。静止画処理部７６では、被写体像に応じてシャッタスピード、絞り値等を設定する。
【００５９】
また、デジタルカメラ１０では、静止画撮影モードでは、１回のシャッタスイッチ７０の操作によって１シーンの被写体像を得る。また、連射モードでは、シャッタスイッチ７０を押下しつづけることにより、連射が可能となっている。
【００６０】
これに対して、動画処理部７８では、所定画素数のフレームが、１秒間に所定数得られるようにシャッタスピード、絞り値等を設定するようになっている。デジタルカメラ１０では、動画撮影モードが選択されると、シャッタスイッチ７０の押下操作で動画撮影を開始し、再度、シャッタスイッチ７０が押下操作されることにより、動画撮影を停止する。
【００６１】
なお、デジタルカメラ１０では、動画撮影によって得られる画像を、ＭＰＥＧ又はMotionＪＰＥＧ等の動画圧縮形式で圧縮処理して、記憶メディア５８に記録するようにしている。
【００６２】
一方、デジタルカメラ１０では、動画／静止が撮影モードに設定されていると、動作撮影中に、動画撮影を終了させることなく静止画の撮影が可能となるようにしている。
【００６３】
すなわち、デジタルカメラ１０では、動画撮影中に静止画撮影を行った時には、静止画撮影前の動画と静止画撮影後の動画を連続した動画像として保存するようにしている。
【００６４】
また、ＣＰＵ３２は、動画撮影中に静止画撮影を行った時には、静止画撮影中に充てる補完画像を生成し、この補完画像を用いて、静止画撮影前の動画像と静止画撮影後の動画像を接続する補完処理を行うようにしている。これにより、デジタルカメラ１０では、静止画撮影前の動画像と静止画撮影後の動画像を、単に接続することによる時間的なズレが生じるのを防止するようにしている。
【００６５】
このような効果画像としては、静止画撮影を行う直前のシーンを用いてもよく、また、静止画撮影によって得られる画像を、動画像のサイズに変換して用いても良い。また、この補完処理には、予め形成して記憶している背景や効果画像を用いても良く、さらに、撮影シーンの画像にこの効果画像や背景画像を重ね合わせるなどの任意の画像を適用することができる。
【００６６】
これにより、デジタルカメラ１０では、静止画撮影を行った時間の動画像が抜けるのを防止して、動画撮影を開始してから終了するまでの時間と、撮影した動画の時間が略一致するようにしている。
【００６７】
次に本実施の形態の作用とする図面を参照しながらデジタルカメラ１０での動画／静止画撮影を説明する。
【００６８】
デジタルカメラ１０には、モード切換えスイッチ８０の操作によって、再生モード、静止画撮影モード、動画撮影モード又は動画／静止画撮影モードの何れかに選択できるようになっており、動画／静止画撮影モードを選択することにより、動画撮影中に、デジタルカメラ１０の本来の高解像度機能を用いた静止画撮影が可能となっている。
【００６９】
ここで、図３（Ａ）及び図３（Ｂ）のフローチャート及び図４のタイミングチャートを参照しながら、動画撮影と、動画撮影中の静止画撮影に対する処理を説明する。なお、以下の説明では、動画／静止画撮影モードに設定されている状態で、シャッタスイッチ７０の押下時間が、所定時間ｔ0以内（例えば時間ｔ1）であれば、動画撮影のスタート／ストップを行い、動画撮影中にシャッタスイッチ７０が操作され、かつそのときの押下時間が時間ｔ0を越える（例えば時間ｔ2）と、静止画撮影を実行するようにしている。また、このときの時間ｔ0は、シャッタスイッチ７０を通常通り操作した時間よりも長く、通常よりシャッタスイッチ７０を押下したときの時間より短く設定している。
【００７０】
図３（Ａ）には、動作／静止画撮影モードに設定されることにより実行される動画撮影の処理の流れを示しており、図３（Ｂ）には、動画／静止画撮影モードに設定されることにより実行される静止画撮影の処理の流れを示している。
【００７１】
図３（Ａ）に示すフローチャートでは、最初のステップ１００で、シャッタスイッチ７０が押下操作されたか否かを確認しており、また、ステップ１０２では、シャッタスイッチ７０の押下時間が、時間ｔ0より長いか否かを確認している。
【００７２】
ここで、動画撮影を行うために、シャッタスイッチ７０を押下することにより、ステップ１００で肯定判定されて、ステップ１０２で否定判定されることにより、ステップ１０４へ移行して動画撮影を開始する。
【００７３】
すなわち、図４に示すように、デジタルカメラ１０では、シャッタスイッチ７０が押下されたときに、押下時間ｔ1が、時間ｔ0より短い（ｔ1≦ｔ0）と、動画撮影を開始する。これにより、所定の露光時間で蓄積した被写体像に応じた電気信号がＣＣＤ１２から出力され、この電気信号に応じたデジタル画像データを読み込むと、このデジタル画像データに対して動画処理を行い、さらに、圧縮・伸張部４０での圧縮処理及びＳＤＲＡＭ５２への記録処理を順に行う。
【００７４】
動画撮影では、１秒間に所定フレーム数のデジタル画像データを得るようにＣＣＤ１２での露光／出力を繰返しながら、ＣＣＤ１２によって読み込んだ被写体像に対する動画処理、圧縮処理及びＳＤＲＡＭ５２への書込みを繰返すことにより、ＳＤＲＡＭ５２への動画像の格納を行う。また、圧縮された動画データは、記憶メディア５８へ直接書き込んで格納しても良い。
【００７５】
一方、図３（Ａ）に示すフローチャートでは、ステップ１０６でシャッタスイッチ７０が押下操作されたかを確認し、ステップ１０８では、シャッタスイッチ１０８の押下時間が時間ｔ0より長いか否かを確認している。
【００７６】
ここで、動画撮影を終了するときには、シャッタスイッチ７０を、押下時間（オン時間）が、時間ｔ０より短くなるように操作することにより、ステップ１０６で肯定判定された後、ステップ１０８で否定判定される。これにより、ステップ１１０へ移行して、撮影した動画像を、記憶メディア５８へ保存する。
【００７７】
すなわち、図４に示すように、動画像を撮影中に、時間ｔ0より短い押下時間（オン時間ｔ1）で、シャッタスイッチ７０が押下操作されることにより、デジタルカメラ１０では、ＣＣＤ１２に結像されている被写体像に応じた電気信号を出力すると、ＣＣＤ１２に結像される被写体像に応じた電気信号の出力（露光／出力）を終了する。
【００７８】
また、デジタルカメラ１０では、最後に出力された被写体像に応じたデジタル画像データに対する動画処理、圧縮処理及びＳＤＲＡＭ５２への記録処理を終了すると、ＳＤＲＡＭ５２に記録した動画像を、記憶メディア５８へ保存（図４では図示省略）して、動画撮影を終了する。
【００７９】
ところで、デジタルカメラ１０では、動画撮影中に、高解像度の静止画像の撮影が可能となっている。
【００８０】
図３（Ｂ）に示すように、動画撮影モードで静止画撮影を行うためのフローチャートでは、最初のステップ１２０で、シャッタスイッチ７０が押下操作されたか否かを確認し、次のステップ１２２では、シャッタスイッチ７０の押下時間が時間ｔ0よりも長いか否かを確認する。
【００８１】
ここで、動画撮影中に、押下時間が時間ｔ０より長くなるように、シャッタスイッチ７０を通常より長め押下することにより、ステップ１２０で肯定判定されると共に、ステップ１２２で肯定判定されて、ステップ１２４へ移行し、静止画撮影を実行する。
【００８２】
すなわち、図４に示すように、デジタルカメラ１０では、シャッタスイッチ７０の押下時間（オン時間ｔ2）が、所定の時間ｔ0より長くなるように押下操作（オン時間ｔ2が、ｔ0＜ｔ2）されることにより、そのときにＣＣＤ１２に結像されている被写体像に応じた電気信号（被写体像に応じた電気信号）を出力すると、動画像撮影を中断して、静止画撮影を開始する。このとき、デジタルカメラ１０では、ＣＣＤ１２に結像されている被写体像に基づいて、静止画撮影のための露光時間（シャッタスピード）や絞り値等を設定する。
【００８３】
この後に、設定されたシャッタスピード及び絞り値に基づいてＣＣＤ１２の露光および露光に応じて出力される電気信号の読み込みを行い、読み込んだデジタル画像データに対する静止画処理及び圧縮処理を行った後、このデジタル画像データを、例えば、ＳＤＲＡＭ５２内で、動画撮影によって読み込んだ画像データとは異なる領域に記録する（図３（Ｂ）のステップ１２６）。
【００８４】
これにより、高解像度で撮影された画像が、ＳＤＲＡＭ５２に記録される。また、静止画像の読み込み及びＳＤＲＡＭ５２への記録が終了すると、所定のタイミングで、この静止画像に応じたデジタル画像データを、記憶メディア５８へ保存する。
【００８５】
このようにすることにより、動画撮影中であっても、動画として撮影している所望のシーンを、高品質の静止画像として保存することができる。
【００８６】
一方、図３（Ａ）に示すように、動画撮影中に、時間ｔ0より長めにシャッタスイッチ７０が押下操作されると、ステップ１０８で肯定判定されてステップ１１２へ移行して動画撮影を中断し、補完画像の作成処理を行う。
【００８７】
また、ステップ１１４では、静止画撮影が終了したか否かを確認し、静止画撮影が終了すると、肯定判定して、ステップ１０４へ移行し、動画撮影を再開する。
【００８８】
すなわち、図４に示すように、デジタルカメラ１０では、静止画撮影のためのＣＣＤ１２の露光／出力に要する時間ｔｓの間だけ、動画撮影を一時停止（Pause状態）して、静止画撮影を行い、静止画撮影が終了すると、動画撮影のための露光及び出力を再開する。
【００８９】
一方、デジタルカメラ１０では、動画撮影中に静止画撮影を行うときには、図３（Ａ）のステップ１１２で、効果画像（補完画像）の生成を行う。すなわち、図４に示すように、静止画撮影に要した時間ｔｓに応じたフレーム数の画像生成を行う。
【００９０】
このような補完画像８６は、例えば、図５に示すように、静止画撮影前の動画像８４の最終フレーム（フレーム９０Ａ）を、時間ｔｓに応じたフレーム数（例えばｍフレーム分）だけ作成して、このフレーム９０Ａと、静止画撮影後に撮影する動画像８８の最初のフレーム（フレーム９０Ｂ）と、の間に挿入する。
【００９１】
これにより、静止画撮影時間ｔｓの間だけ、動画像が抜けてしまうのを防止することができる。
【００９２】
このような静止画撮影時間ｔｓ内の画像として充てる補完画像としては、この補完画像８６に限らず、予め設定している効果画像を、ｎフレーム目の画像に重ねて生成するようにしても良い。
【００９３】
図６には、効果画像として、所定色の背景が、徐々に広がった後に縮小することにより、中央部の画像が現れる領域が、徐々に縮小した後に広がるようにしており、これにより、撮影画像のフェードアウト、フェードインを行うようにしている。すなわち、静止画撮影を行うときのシャッタの開閉動作を摸擬した効果画像を用いて作成した補完画像９２を示している。
【００９４】
このような効果画像を、静止画撮影前の最終フレームに合成して補完画像９２を生成することにより、動画撮影中に、静止画を撮影することにより、動画撮影の中断した部分を明瞭に、かつ、撮影した動画像に違和感を与えることなく確認できるようにすることができる。
【００９５】
また、補完画像の生成は、これらに限るものではなく、例えば、撮影した静止画を用いて、補完画像に充てるフレームを作成することができる。
【００９６】
さらに、静止画撮影前の動画像８４のフレーム９０Ａと、静止画撮影後の動画像８８のフレーム９０Ｂの相違を抽出し、この相違部分が、補完画像として形成するフレーム内で、円滑に変化するように画像生成を行うようにしても良い。
【００９７】
これにより、動画撮影中に静止画撮影を行ったときにも、動画撮影が実質的に中断しなかったように動画画像を形成することができる。
【００９８】
さらに、このように生成した補完画像に、前記した効果画像を重ね合わせるようにしても良い。
【００９９】
また、これらの補完画像や、効果画像は、予め設定されている複数の効果画像や、補完画像の生成方法から、デジタルカメラ１０の使用者が任意に設定できるようにしても良く、これにより、デジタルカメラ１０の使用者が、好みに応じた動画像を形成することが可能となる。
【０１００】
なお、以上説明した本実施の形態は、本発明の一例を示すものであり、本発明の構成を限定するものではない。例えば、本実施の形態では、動画撮影中に静止画撮影を行うときに、シャッタスイッチ７０の押下時間を長くするようにしたが、これに限らず、動画撮影のスタート／ストップを行うときにシャッタスイッチ７０の押下時間を長くして、静止画撮影を行うときのシャッタスイッチ７０の押下時間を、通常の静止画撮影と同様にしても良い。これにより、静止画撮影モードで静止画撮影を行うのと同様の感覚で、かつシャッタータイミングを逃すことがなく動画撮影中に静止画撮影を行うことができる。
【０１０１】
また、動画撮影のスタート及び動画撮影中の静止画撮影を行うときは、通常の押下時間でシャッタスイッチ７０を操作するようにして、動画撮影を終了するときに、シャッタスイッチ７０の押下時間を長くしたり、連続して所定回数（例えば２回）操作するようにしても良い。すなわち、シャッタスイッチ７０を比較的長い時間押下されたときや、シャッタスイッチ７０が連続して２回以上押下されたときに、動画撮影を終了して、撮影画像を記憶メディア５８に保存するようにしても良い。
【０１０２】
さらに、動画撮影のスタート／ストップスイッチを静止画撮影に用いるシャッタスイッチ７０と別に設けても良い。
【０１０３】
また、本発明は、本実施の形態に適用したデジタルカメラ１０に限らず、動画撮影機能を備えた任意の構成のデジタルスチルカメラに適用することができる。
【０１０４】
【発明の効果】
以上説明したように本発明によれば、動画撮影中にあっても、動画撮影を終了することなく静止画撮影が可能となるので、動画撮影中であっても、所望のシーンを高品質の静止画として保存することができる。また、補完手段によって静止画撮影中に撮影が中断されている動画像を生成して挿入することにより、静止画撮影によって動画のし上がりを損ねてしまうことがなく、また、動画撮影中に静止画が撮影されたことを的確に示すことができるという優れた効果が得られる。
【図面の簡単な説明】
【図１】本実施の形態に適用したデジタルカメラの概略構成を示すブロック図である。
【図２】（Ａ）はデジタルカメラの裏面側を示す概略斜視図、（Ｂ）はモード切換えスイッチの一例を示す概略図である。
【図３】（Ａ）は動画／静止画撮影モードでの動画撮影の概略を示す流れ図、（Ｂ）は動画／静止画撮影モードでの静止画撮影の概略を示す流れ図である。
【図４】動画／静止画撮影モードでのシャッタスイッチの操作に応じた動画撮影処理と静止画撮影処理の概略を示すタイミングチャートである。
【図５】撮影途中で静止画撮影が行われた動画像と補完画像の一例を示す概略図である。
【図６】補完画像の他の一例を示す概略図である。
【符号の説明】
１０    デジタルカメラ（デジタルスチルカメラ）
１２    ＣＣＤ（撮像デバイス）
１６    信号処理部（静止画撮影処理手段、動画撮影処理手段）
１８    主制御部（静止画撮影処理手段、動画撮影処理手段、切換え手段、補完画像生成手段）
３２    ＣＰＵ（静止画撮影処理手段、動画撮影処理手段、切換え手段、補完画像生成手段）
３４    撮像信号処理部（静止画撮影処理手段、動画撮影処理手段）
５２    ＳＤＲＡＭ
５８    記憶メディア（記憶手段）
７０    シャッタスイッチ（静止画撮影指示手段、動画撮影指示手段）
７６    静止画処理部（静止画撮影処理手段）
７８    動画処理部（動画撮影処理手段）
８０    モード切換えスイッチ
８４、８８    動画像
８６、９２    補完画像
【図１】
2004207805.tif 000003
【図２】
2004207805.tif 000004
【図３】
2004207805.tif 000005
【図４】
2004207805.tif 000006
【図５】
2004207805.tif 000007
【図６】
2004207805.tif 000008